(57)【要約】      （修正有）【課題】ファンとヒートシンクとの間に形成された制御回路に保護カバーが設置されてあっても、ファンによる放熱フィン周辺の空気の流れを阻害することなく、高い信頼性を備えたディスクチェンジャー装置を提供する。【解決手段】ディスク収納部と、ディスクのドライブ部への搬送手段と、前記ドライブ部で前記ディスクにデータの読み書きを指示する制御回路基板と、前記ドライブ部と前記制御回路等を収納する筐体と、前記制御回路基板上の電子部品と、この電子部品に熱伝導部材を介して接触するヒートシンクと、このヒートシンクにたいして離間して設置されたファンとを備えたディスクチェンジャー装置において、前記ファンと前記電子部品との間にカバーを設け、前記カバーの対向面に凹部を設けるとともに、この凹部内にヒートシンクを配置し、このヒートシンクと前記電子部品とを熱的に接触させる。【選択図】図１
2013114718.tif 000002
【特許請求の範囲】
【請求項１】
ディスクを収納するディスク収納部と、このディスク収納部からディスクをドライブ部に搬送する搬送手段と、前記ドライブ部で前記ディスクにデータの読み書きを指示する機能を有する制御回路基板と、前記ディスクと前記ディスク収納部と前記ドライブ部と前記制御回路を収納する筐体と、前記制御回路基板上に複数設置された電子部品と、この電子部品に熱伝導部材を介して接触するヒートシンクと、このヒートシンク所定の距離だけ離間して前記筐体に設置されたファンとを備えたディスクチェンジャー装置において、
前記ファンと前記電子部品との間にカバーを設け、前記ファンと対向する前記カバーの対向面に凹部を設けるとともに、
この凹部内にヒートシンクを配置し、このヒートシンクと前記電子部品とを熱的に接触させたことを特徴とするディスクチェンジャー装置。
【請求項２】
請求項１記載のディスクチェンジャー装置において、
前記凹部に前記電子部品と前記ファンとが連通する開口部を設けるとともに、
前記ヒートシンクは前記開口部貫通し、前記ヒートシンクが前記電子部品と記熱伝導部材を介して接触していることを特徴とするディスクチェンジャー装置。
【請求項３】
請求項１記載のディスクチェンジャー装置において、
前記ヒートシンクが取り付けられる前記凹部の取り付け面の垂直な側面に開口部を設けることを特徴とするディスクチェンジャー装置。
【請求項４】
請求項１記載のディスクチェンジャー装置において、
前記凹部は前記ファンと対向する対向面全面にわたってコの字型形状で形成されていることを特徴とするディスクチェンジャー装置。
【請求項５】
請求項１記載のディスクチェンジャー装置において、
前記凹部は前記ヒートシンクの取り付け面に垂直な側面、または前記カバーの前面に前記ヒートシンクから前記ファン方向に広がる傾斜を設けていることを特徴とするディスクチェンジャー装置。
【請求項６】
請求項１記載のディスクチェンジャー装置において、
前記凹部は前記ファンに対向する周囲部分に単数、または複数の傾斜板を設けていることを特徴とするディスクチェンジャー装置。
【請求項７】
請求項１記載のディスクチェンジャー装置において、
前記ヒートシンクと前記カバーを一体、または複数の部材で形成したことを特徴とするディスクチェンジャー装置。
【発明の詳細な説明】
【技術分野】
【０００１】
本発明はディスクチェンジャー装置やディスクライブラリ装置と呼ばれるディスクに記録再生を行う記録装置に関するものである。
【背景技術】
【０００２】
記録媒体への記録再生装置としては、例えば特許文献１に開示されているように、光ディスク等のディスク状記録媒体（以下、ディスクという）を収納する複数の収納部を有する収納ブロックを備え、各収納部から所望のディスクを取り出してドライブに装着し、装着したディスクに対して情報信号の記録や再生を行い、または、ディスクに記録されたデータを読み出して他の記憶装置への転送を行う光ディスク再生装置がある。
【０００３】
この特許文献１では、駆動部と発熱部が配置された配置空間を外筐に配置し、本体側空間と配置空間を仕切る仕切り板を設けて、発熱部の熱が駆動部に伝導しないようになっている。
【０００４】
また、発熱の大きい機器を備えた制御盤等を内蔵する機械の冷却等に関しては、例えば特許文献２に開示されているように、筐体内に配置された制御盤を冷却する冷却風路を筐体内に設けて、上記冷却風路内に放熱フィン部を露出させたヒートシンクを配設し、上記冷却風路内に外気導入ファンにより強制的に風冷する技術がある。
【先行技術文献】
【特許文献】
【０００５】
【特許文献１】特開２０００−２６９６７３号公報
【特許文献２】特開２０００−１９０１６３号公報
【発明の概要】
【発明が解決しようとする課題】
【０００６】
上記特許文献１の本体側空間と配置空間を仕切る仕切り板を設けて本体側空間の温度上昇を防止する特許に関しては、上記仕切り板で区切られた発熱部に保守、点検等で人が手を触れる可能性は無いため、発熱する回路部品に関する安全性を保つ構造に関しては配慮がされておらず、上記技術を本構造のディスクチェンジャー装置に適用するのは困難である。
【０００７】
また、上記の特許文献２に記載の特許に関しても、ディスクチェンジャー装置のように、筐体内に上記冷却風路を設けるような空間が無く、かつ、限られた空間の中で上記ヒートシンクの放熱フィン部へ効果的に空気を流す流路構造に適用するということは難しい。そのため、狭い空間におけるヒートシンクの冷却方法としては利用できないという問題点があった。
【０００８】
さらに詳しく、ディスクチェンジャー装置の放熱構造に関する課題について説明する。  
従来のディスクチェンジャー装置においては、コンピュータ等の外部機器からの信号に基づいて制御部から指示信号を出力して、各収納部から所望のディスクを取り出してドライブに装着している。そして、装着されたディスクに対して情報信号の記録や再生を行い、または、ディスクに記録されたデータを読み出して他の記憶装置への転送を行う等の一連の動作を行っている。
【０００９】
上記ディスクチェンジャー装置においては、制御部とドライブ部により構成されたドライブブロックは、チェンジャー装置の主な動作を指示する主要部であり、上記ドライブブロックの機能を正常に維持することがディスクチェンジャー装置の信頼性の確保には重要である。特に、制御部とドライブ部の温度上昇を抑制することが装置の誤動作防止と寿命の確保に大きな効果があるため、ファンによるドライブブロックの冷却が非常に重要な課題となっている。
【００１０】
しかしながら、ディスクチェンジャー装置は、ラック等に上下方向に複数台並べて収容して使用することが一般的であることから、上下部分はラック内に収容され、また、フロント側はディスクを収納するための挿脱口を形成する。そのため、冷却用のファン取り付け部はディスクチェンジャー装置の後方部に限られる。そのような構造上の制約のため、上記のドライブブロックは冷却の必要から後方のファン近傍に配置することが必要であり、上記の空間上の制約の中でいかに効率的に小型のファンによるドライブブロックの冷却を行うかということが重要な課題となっている。
【００１１】
上記ドライブブロックは制御部とドライブ部より構成されており、制御部を構成する制御回路は、IC等の発熱する電気回路部品を多数有している。回路部品で発生する熱は、ヒートシンク等に接触させ、上記ヒートシンクの放熱フィン部分をファンの対向面に設置することにより、回路部品の熱を放熱させて、制御回路の温度上昇を防ぎ、装置の信頼性を確保してきた。
【００１２】
また、ディスクチェンジャー装置は、装置の保守、点検を定期的に行うことが必要であり、上記ドライブブロックには作業者によって引き出して通電しながら動作確認を行うという定期的な作業が必要である。その際に、制御部を構成する制御回路に通電時に手を触れないことが、安全性の確保や装置の静電気対策等から必須事項となっている。
【００１３】
上記の２つの要求事項から、従来の装置においては、ドライブブロックの制御回路に格子状の制御回路の（保護）カバーを設けることとした。しかし、従来のカバーでは、カバーがファンとヒートシンクとの間に形成されたため、ファンによる放熱フィン周辺の空気の流れが阻害されることになる。そのため、ヒートシンクが効果的に冷却されなくなり、そのことにより回路部品の温度上昇を招き、装置自体が誤動作して、データの読み書きを行えなかったり、ディスクを取り出せなかったり、または回路部品の故障を生じる等の信頼性が低下する恐れが有った。
【００１４】
本発明の目的は、制御回路保護カバーが設置されてあっても、ヒートシンク周囲の空気の流れを阻害することなく、人への安全性を確保すると共に冷却性能を維持することができ高い信頼性を備えたディスクチェンジャー装置を提供することにある。
【課題を解決するための手段】
【００１５】
上記目的は達成するために本発明は、ディスクを収納するディスク収納部と、このディスク収納部からディスクをドライブ部に搬送する搬送手段と、前記ドライブ部で前記ディスクにデータの読み書きを指示する機能を有する制御回路基板と、前記ディスクと前記ディスク収納部と前記ドライブ部と前記制御回路を収納する筐体と、前記制御回路基板上に複数設置された電子部品と、この電子部品に熱伝導部材を介して接触するヒートシンクと、このヒートシンク所定の距離だけ離間して前記筐体に設置されたファンとを備えたディスクチェンジャー装置において、前記ファンと前記電子部品との間にカバーを設け、前記ファンと対向する前記カバーの対向面に凹部を設けるとともに、この凹部内にヒートシンクを配置し、このヒートシンクと前記電子部品とを熱的に接触させたものである。
【００１６】
また上記目的は達成するために本発明は好ましくは、前記凹部に前記電子部品と前記ファンとが連通する開口部を設けるとともに、前記ヒートシンクは前記開口部を貫通し、前記ヒートシンクが前記電子部品と記熱伝導部材を介して接触させると良い。
【００１７】
また上記目的は達成するために本発明は好ましくは、前記ヒートシンクが取り付けられる前記凹部の取り付け面の垂直な側面に開口部を設けると良い。
【００１８】
また上記目的は達成するために本発明は好ましくは、前記凹部は前記ファンと対向する対向面全面にわたってコの字型形状で形成されると良い。
【００１９】
また上記目的は達成するために本発明は好ましくは、前記凹部は前記ヒートシンクの取り付け面に垂直な側面、または前記カバーの前面に前記ヒートシンクから前記ファン方向に広がる傾斜を設けると良い。
【００２０】
また上記目的は達成するために本発明は好ましくは、前記凹部は前記ファンに対向する周囲部分に単数、または複数の傾斜板を設けると良い。
【００２１】
また上記目的は達成するために本発明は好ましくは、前記ヒートシンクと前記カバーを一体、または複数の部材で形成すると良い。
【発明の効果】
【００２２】
本発明によれば、制御回路保護カバーが設置されてあっても、ヒートシンク周囲の空気の流れを阻害することなく、人への安全性を確保すると共に冷却性能を維持することができ高い信頼性を備えたディスクチェンジャー装置を提供できる。
【図面の簡単な説明】
【００２３】
【図１】本発明の実施例に係るカバーを説明する図である。
【図２】本発明の他の実施例に係るカバーを説明する図である。
【図３】本発明の他の実施例に係るカバーを説明する図である。
【図４】本発明の他の実施例に係るカバーを説明する図である。
【図５】本発明の他の実施例に係るカバーを説明する図である。
【図６】本発明の他の実施例に係るカバーを説明する図である。
【図７】本発明の他の実施例に係るカバーを説明する図である。
【図８】本発明の他の実施例に係るカバーを説明する図である。
【図９】本発明に係るディスクチェンジャー装置の斜視図である。
【図１０】本発明に係るディスクチェンジャー装置の斜視図である。
【図１１】本発明に係るディスクチェンジャー装置のカバーを説明する斜視図である。
【図１２】本発明に係るディスクチェンジャー装置内の空気の流れを説明する図である。
【発明を実施するための形態】
【００２４】
以下、実施例を図面にしたがって説明する。  
本発明に係るディスクチェンジャー装置１について図９〜図１２を用いて説明する。  
図９〜図１２において、ディスクチャンジャー装置１はディスク１００に記録及び再生を行う装置であり、筐体２の内部に主要の各部が配置されている。
【００２５】
図９(a)に示すように、ディスクチェンジャー装置１における筐体２の前面及び背面は開閉可能になっており、筐体２の前面パネル９は、ディスク１００を収納した収納部３を挿入、及び引き出しが行えるようになっている。
【００２６】
筐体２の内部には図９（b）に示す収納部３とディスク用ドライブ部４（以下、ドライブ部４という）、ディスク搬送部５（以下、搬送部５という）及びディスクチェンジャー装置１の操作及び動作を制御する制御回路部６（以下、制御部６という）が配置されている。収納部３は、例えば、側方が開口された縦長の箱状の保持用筐体３aで形成され、内部にディスク１００を収納するための支持部３bが形成されている。
【００２７】
ディスク１００は縦長の箱状の保持用筐体３aに収納された状態で筐体２内部に図示しないガイドレールに沿って挿入され、所定の位置に達した後に前面パネル９にあるロック用のボタンにてロックされる。
【００２８】
図９に示すディスクチェンジャー装置１は、多数のディスク１００を同時に収容、処理するため上記各構成部が左右対称に配置され、複数個配置されたドライブ部４で同時に読み書き可能となっている。ドライブ部４は、例えば、前後に複数個のディスクドライブ機構が並んで配置され、それぞれ左右の搬送部５が位置する側の側方が開口されたディスク挿脱口４aを有している。ドライブ部４は内部にディスクドライブ機構を備えて、ディスク１００に記録されたデータを外部機器である図示しないコンピュータ等に設けられた記憶装置、例えばHDDやメモリ等に転送する機能を有している。
【００２９】
図１０(a)は本装置を図９(b)に示した矢印方向から見た斜視図である。  
図１０(a)に示すように、後方には装置内部を冷却するためのファン１１が後方パネル１０に設置されている。
【００３０】
図１０(b)は図１０(a)に示したファン１１が設置されている後方パネル１０を開放した状態を示している。  
図１０(b)に示すように、ファン１１の対向面には図９で説明した制御回路６aとヒートシンク６bにより構成される制御部６が配置され、その後方にはドライブ部４が配置されている。ファン１１は筐体内部及び制御部６及びドライブ部４の温度上昇を抑制するため、内部の空気を装置外に排出する機能を有している。
【００３１】
以下にディスクチェンジャー装置１についての主な動作を図９及び図１０を用いて説明する。
【００３２】
図示しないコンピュータ等の外部装置から収納部３に収納された所望のディスク１００にデータの読み書き等の動作を行う信号が制御部６に入力される。すると、上記入力信号により図９の搬送部５のディスク１００取り出し機構５bは所定の動作開始位置から搬送用レール５aに添って所望のディスク１００の取り出し位置まで搬送される。その後、ディスク１００取り出し機構５bは所望のディスク１００を取り出し、ドライブ部４に設置されている所定のドライブ機構まで搬送し、所定のドライブ機構のディスク挿脱口４aの前で停止して、ドライブ機構にディスク１００を挿入する。挿入された上記ディスク１００はドライブ機構においてデータの読み書き動作が行われ、上記データは制御部６によりコンピュータ等の外部装置へと転送される。
【００３３】
上記の転送作業が終了し、ディスク１００の読み書き動作が終了した後に上記のディスク１００はディスク取り出し機構５bによりディスク挿脱口４aから取り出されて、搬送用レール５aに添って、ディスク１００の事前の収納位置まで搬送され、収納部３の所定の収納位置に収納される。その後、搬送部５は所定の動作開始位置へ搬送され、停止して動作を終了する。
【００３４】
上記の一連の動作は、複数のディスク１００のデータの読み書きを行う場合には、所望のディスク１００の枚数分だけ繰り返し行われる。  
上記に述べた一連の動作を行わせる主要部の制御部６とドライブ部４は図１１に示すドライブブロック１２に一体のブロックとして形成されている
次に、図１１によりドライブブロック１２について説明する。  
図１１(a)は左側のドライブブロック１２を外部に引き出した場合の斜視図であり、図１１(b)は従来のカバー５０が設置されているドライブブロック１２、図１１(c)は制御回路６aと発熱回路部品を冷却するための複数のピン状のフィン形状を有するヒートシンク６bに対する従来のカバー５０とファン１１の位置関係を説明する分離説明図である。
【００３５】
図１１(a)に示すように、ドライブブロック１２は、図１０に示したドライブ部４と制御部６により構成されている。ドライブブロック１２は、ファン１１の対向面に制御部６が位置しており、その背後にドライブ部４が構成されている。制御部６は、ドライブ部４、搬送部５等に一連の動作を行う指示を出す制御回路６aが設置されており、IC等の発熱回路部品が多数搭載され、さらに上記の発熱部品を冷却するためのヒートシンク６bも設けられている。
【００３６】
制御部６の温度上昇を抑制することが装置の誤動作防止と寿命の確保に大きな効果があるため、ファン１１によるドライブブロック１２の冷却が非常に重要な課題となっている。そのため、制御回路６aに設置されている回路部品で発生する熱は、回路部品を図１１(a)に示したヒートシンク６bに接触させ、上記ヒートシンク６bの放熱フィン部分をファン１１の対向面に設置することにより、回路部品の熱を放熱させて、制御回路６aの温度上昇を防ぎ、装置の信頼性を確保してきた。
【００３７】
また、ディスクチェンジャー装置１は装置の保守、点検を定期的に行うことが必要であり、上記ドライブブロック１２（図１２（ｂ）に示す）には作業者が引き出して通電しながら動作確認を行うという動作が必須である。その際に、制御部６の制御回路６aに通電時に手を触れないことが、安全性の確保や装置の静電気対策等から必須事項となっている。これまでは、上記の懸念事項に対する対応策として、図１１(b)に示すように従来は格子状の制御回路カバー５０をドライブブロック１２の制御回路６aとヒートシンク６bの周囲に設置してきた。
【００３８】
しかしながら、従来のカバー５０である図１１(b)の構成では、カバー５０がファン１１とヒートシンク６bとの間に介在される構造（図１１（ｃ）に示す）となっているため、ファン１１による放熱フィン周辺の空気の流れがカバー５０によって阻害され、ヒートシンク６bが効果的に冷却されなかった。そのため、回路部品の温度上昇を招き、装置自体が誤動作して、データの読み書きを行えなかったり、ディスク１００を取り出せなかったり、または回路部品の故障や寿命の低下を生じる等の信頼性が低下する恐れが有った。
【００３９】
図１２にファン１１によるディスクチェンジャー装置１の筐体２内の空気の流れを示す。矢印１０２は空気流を示している。空気流１０２はディスクチェンジャー装置１の前方からディスク１００が収納された収納部３の下部に形成された空気流路１０３を通り、ドライブ部４と制御部６より構成されたドライブブロック１２の下部及びドライブ部４を通過し、制御部６を通ってファン１１より排気される。
【００４０】
図１２(a)に示すように、従来のカバー５０を制御回路６aとヒートシンク６bの周囲に設置することにより、特にヒートシンク６b周辺の空気の流れが阻害されるため、ヒートシンク６bが効果的に冷却されなくなる。
【００４１】
そこで、本発明の発明者らはヒートシンクをカバーから露出させて取り付けることを考えた結果、以下のごとき実施例を得た。
【実施例１】
【００４２】
本発明は、上記のような問題点を解決し、カバーがあっても、ヒートシンク周囲の空気の流れを阻害することなく、逆により効率的に冷却用の空気をヒートシンク６bに送る役割をカバーに持たせることにより、カバーによる装置及び人への安全性を確保する効果と冷却性能維持による装置の信頼性確保が同時に行うことのできるディスクチェンジャー装置１を提供するものである。
【００４３】
図１２(b)は本発明の新しいカバー１３を適用した場合の空気の流れを示している。  
本発明を適用したディスクチェンジャー装置１は、上記制御回路６aと上記筐体２に構成されたファン１１との間に上記制御回路６aを覆うカバー１３を備えたものであり、この構造は筐体２とカバー１３の２重構造となっている。上記カバー１３にはヒートシンク６bを取り付けるための凹部１８がファン１１に対向する対向面に設けられている。このヒートシンク６bは凹部１８のカバー１３と筐体２との間に突出するように設置されている。
【００４４】
このカバー１３を用いることにより、ヒートシンク６bに空気流を積極的に送ることが可能となり、制御回路６aの回路部品を効果的に冷却することができる。
【００４５】
以下に本実施例によるカバーの詳細を図にしたがって述べる。  
図１は本発明を適用した新たなカバー１３の構造を示す説明図である。
【００４６】
本発明のカバー１３、１３aは、図１（ａ）〜(ｄ)に示すように、ファン１１に対向する対向面にヒートシンク６bを取り付けるための取り付け凹部１８を形成している。この取り付け凹部１８はヒートシンク６b周辺の空気の流れが阻害されないようにカバー１３、１３aの前面に形成されている。また基板上の発熱する回路部品１５とカバー１３、１３a及びヒートシンク６bは密着して接続されているので伝導による放熱とヒートシンク６bの放熱フィンに流れる空気の対流による冷却の相乗効果を有する。そのため、制御部６の温度上昇を低減し、装置としての信頼性を確保できるものである。
【００４７】
図１(ａ)は放熱フィンを有するヒートシンク６bとカバー１３が一体で形成した場合で、例えば材料がアルミニウム等の金属で製作された場合を示している。材料はアルミニウムに限定されるものではなく、熱伝導率の高い材料であればより好ましい。
【００４８】
図１(ｂ)は、図１(a)のカバーを中央部で縦断面したものであり、ファン１１は図１(a)に示すようにヒートシンク６bの対向面に位置している。図１(ｂ)に示すように、制御回路６aの回路基板１４の表面には発熱するIC等の回路部品１５が配置されている。上記回路部品１５は絶縁性のシート状の高熱伝導部材１６を介してカバー１３に接触している。カバー１３は、回路部品１５と高熱伝導部材１６を基板１４とカバー１３の間に密着するようにネジ１７を用いてネジ止めされる。
【００４９】
カバー１３がヒートシンク６bと一体で形成されている場合には、回路部品１５の熱は、ヒートシンク６bに伝導すると同時にカバー１３に伝導する。さらにカバー１３に伝導した熱は図１１（ｂ）に示すドライブブロック１２に取り付けられたカバー５０を介して筐体２へも伝導するため、熱を効率的に逃がすことができる。そのため、ヒートシンク６ｂとカバー１３の熱伝導による冷却効果に加えてヒートシンク６bの放熱フィンに対する空気の対流による冷却効果も加わるため、部品の温度上昇がさらに抑制される。
【００５０】
また、カバー１３とヒートシンク６bを製作コスト低減の観点から、同一、または異なる金属材料による別部材で製作し、ネジ１７でカバー１３とヒートシンク６bが密着するように構成する場合でも同様の効果を得ることは可能である。
【００５１】
さらに、上記のカバー１３においては、コスト削減の観点から、手を触れる可能性の低いカバー１３の側面部分１３１を無くした場合でも上記の効果と同様の効果を得ることができ、コストを安くすることが可能となる。
【００５２】
次に、カバー１３がABS樹脂等の非金属材料で構成され、ヒートシンク６bが金属材料という別部材で構成されたカバー１３aの場合を説明する。例えば、図１(ｃ)前面図、(ｄ)断面図に示すように、カバー１３aとヒートシンク６bを接触させる部分に開口部（または切欠や貫通孔等）２０を設けている。この開口部を介してヒートシンク６bの金属の土台部分が回路部品１５と高熱伝導部材１６とに接触するように接続されている。
【００５３】
上記の場合は、カバー１３aの材料を樹脂等で構成することにより金属材料に比較してカバー１３による伝熱による冷却効果は得られないが、より安価で製作が簡単な材料で構成することができ、製作コストを低減できる。
【００５４】
また、ヒートシンク６bの金属部分が開口部（または切欠や貫通孔等）２０を介して熱伝導樹脂部材１６に直接接触することにより、回路部品１５の熱を一体で形成したときと同様に熱伝導樹脂１６を介してヒートシンク６bに逃がすことができ、回路部品を効果的に冷却することができる。
【００５５】
本ディスクチェンジャー装置１では、図１２に示したように、空気は筐体２の側面または下面からカバー１３aの対向面に設置されているファン１１に向かって流れている。そのため、前面及び側面は、図１に示すように、格子状の開口部２１、２１bが形成されており、空気が側面、または、下面から基板１４の前方を通って、ファン１１に流れるような構造になっている。
【００５６】
また、側面部は図１(ｃ)に示すように、ヒートシンク６bを設置したヒートシンク取り付け凹部１８の側面にも開口部２２aが設けられている。この開口部２２aを設けたことによって、空気は開口部２２aからヒートシンク６bの放熱フィンを通過してファン１１へ流れる空気流路が形成されている。なお、この開口部２２aは、ヒートシンク取り付け凹部１８の側面に限るものではなく、ヒートシンク取り付け凹部１８の上面及び下面部にも設けることによりさらにヒートシンク６bへの空気流量が増えて対流冷却の効果が期待できる。
【００５７】
また、図１(a)(ｃ)において、カバー１３、１３aの上面にも格子状の開口部２１を設けることにより、基板１４前面の空気の流れを確保し、高い放熱効果を得ることができる。また、カバー１３aの他の実施例としては、カバー１３aにおいて、さらに集中的にヒートシンク６bに空気を流すために、カバー１３aのヒートシンク取り付け凹部１８横の格子状の開口部２１bを閉じて、ヒートシンク６bに横から空気を流入しやすくすることにより、ヒートシンク６bが積極的に冷却されるように形状を変えることも可能である。
【００５８】
次にカバー１３の形状の他の実施例について、図２〜図８を用いて説明する。  
以下のカバー１３の実施例は、金属または非金属、または、ヒ−トシンク６bと一体、または、別部材のどちらで製作しても良く、周囲の図示しない筐体２の側面に設置される吸入口及びファン１１等の配置によってヒートシンク６bに空気が流れる最適な形状を適用するための基本構造の一例を示しており、本実施例に限定されるものではない。また、図中に主な空気の流れを矢印で示しておく。
【００５９】
図２(a)〜(e)のカバー１３bは上記の図１(c)のカバー１３aよりさらにヒートシンク６bに空気を流すようにカバー形状を変更したカバー１３bの実施例を示している。  
図２(a)はカバー１３bの前面図であり、図２（ｂ）がカバー１３b側面にもカバーを設けた場合の側面図、図２(ｃ)がカバー１３bの側面にカバーを設けない場合の側面図、図２(ｄ)がヒートシンク取り付け凹部１８の下面の５mm上のb１-b１’で切断し、ヒートシンク６b側から見た断面図、図２(ｅ)が上面図を示している。
【００６０】
図２(ｂ)、(ｃ)を見るとわかるように、カバー１３bはヒートシンク６bの横の部分全体が凹部になるように形成されている。すなわち、ヒートシンク取り付け凹部１８の一辺の長さがカバー１３bの一辺の長さと同一になっており、ヒートシンク取り付け凹部１８を上記のようなコの字型の形状とすることによりヒートシンク６bの側面への空気の流れを妨げない形状となっている。図２(a)に示すように、カバー１３bの前面の凹部の格子状の開口部２１を削除したことにより、ヒートシンク６bにスムーズに空気が流れる空気流路が形成されている。
【００６１】
また、図２(ｄ)はヒートシンクが形成された凹部１８の下面を示す断面図で開口部２２bが形成されていることがわかる。図示しないが、開口部２２bは凹部１８の上面にも同様に形成されている。凹部１８の上下面に開口部２２bを設けることによりさらに上下方向の空気流路が形成されて、ヒートシンク６bを冷却することが可能となる。また、上記の開口部２２bは空気の流れに応じて、形成しないことも可能である。
【００６２】
また、上記のカバー１３bの他の実施例としては、上記水平方向の凹部１８を垂直方向の凹部１８として形成し、ヒートシンク６bへの垂直方向の空気流路を形成した場合も同様の効果を得ることができる。
【００６３】
次に、図３(a)(ｂ)で示すカバー１３cは、ヒートシンク６bを取り付けたヒートシンク取り付け凹部１８の上下面及び側面に傾斜を設けた場合を示している。一方、図４(a)〜(ｃ)で示すカバー１３dは、ヒートシンク取り付け凹部１８の側面に傾斜を設けた場合である。
【００６４】
カバー１３cは水平方向に形成したヒートシンク取り付け凹部１８の上下面に傾斜を設けた場合、カバー１３dは垂直方向に形成したヒートシンク取り付け凹部１８の側面に傾斜を設けた場合である。
【００６５】
図３（a）はヒートシンク取り付け凹部１８の傾斜面に開口部２２cを設けたカバー１３cの前面図であり、図３（ｂ）はc１-c１’断面で切った断面図である。また、図４（a）はヒートシンク取り付け凹部１８の傾斜面に開口部２２dを設けたカバー１３dの前面図であり、図４（ｂ）はd１-d１’断面で切った断面図であり、図４（ｃ）はカバー１３dの上面図である。
【００６６】
カバー１３c、１３dに示すように、ヒートシンク取り付け凹部１８に傾斜を設けることによりファン１１の空気の流れをヒートシンク６bにさらに流れやすくすることが可能となる。また、カバー１３c、１３dに示すように、開口部２２c、２２dを設けることにより、ヒートシンク６bの上下及び左右方向の空気の流れを確保することができ、さらに効果的にヒートシンク６bを冷却することが可能となる。
【００６７】
なお、上記の開口部２２c、２２dは空気の流れに応じて、形成しないことも可能である。
【実施例２】
【００６８】
図５はヒートシンク６bの上下左右の側面方向から空気を取り入れ、ファン１１方向に排気するためにカバー１３の正面部分に傾斜板２３aを設けたカバー１３eの構成を示している。図５(a)〜(ｄ)は傾斜板が長方形の場合であるが、上記形状に限るものでは無い。図５(a)はカバー１３eの前面図、（ｂ）（ｃ）が側面部にカバーを設置した場合、しなかった場合の各々の側面図、（ｅ）は上面図である。
【００６９】
図５(a)に示すように傾斜板２３aを設けることにより基板１４の周辺の空気は開口部２２eを通り、ヒートシンク６bを通過させてファン１１方向により積極的に流すことにより、さらに冷却効果が期待できる。
【００７０】
次に図６に示すカバー１３fは、図６に示した傾斜板２３aと同じ役割をヒートシンク取り付け凹部１８の上下面及び側面に傾斜をつけることで実現した実施例を示している。
図６(a) はカバー１３fの前面図、（ｂ）はf１-f１’断面で切った断面図、（ｃ）はf２-f２’断面で切った断面図を示している。
【００７１】
図６(a)〜(ｃ)のカバー１３fは、ヒートシンク取り付け凹部１８の上下面及び側面に傾斜をつけることにより、図５の傾斜板と同様の効果を得ることができる。また図６(a)〜(c)に示すように前面の開口部２１を無くし、ヒートシンク取り付け凹部１８の上下面及び側面部に開口部２２fを設けることにより、空気の流路を確保し、ヒートシンク６bを積極的に冷やすことが可能となる。
【００７２】
また、上記の開口部２２fは空気の流れに応じて、形成しないことも可能である。
【実施例３】
【００７３】
図７は上記のファン１１方向への傾斜をカバー１３の前面全てに設けたカバー１３g、１３hを示している。図７(a) はカバー１３gの前面図、（ｂ）はg１-g１’断面で切った断面図、（ｃ）は上面図、また、図７(ｄ) はカバー１３gの他の実施例であるカバー１３hの前面図を示している。カバー１３g、１３hに示すように、カバー１３g、１３hの前面前部をファン１１方向からヒートシンク６b方向に傾斜させる傾斜形状とすることにより、ヒートシンク６bの側面に空気が流れやすくなり、ヒートシンク６bの冷却効率を上げることができる。また、カバー１３hは、カバー１３gにおいて、ヒートシンク取り付け凹部１８の横の部分の開口部２１を無くし、ヒートシンク６b近傍のヒートシンク取り付け凹部１８の側面に開口部２２hを設けた場合であり、上記のような形状とすることにより、ヒートシンク６bにより空気が流れやすくなる。
【実施例４】
【００７４】
図８は加工上の容易さから、ヒートシンク取り付け凹部１８を楕円形で形成したカバー１３iを示している。図８（a）はカバー１３iの前面図、(ｂ)は側面図、(ｃ)は図５で示した傾斜板２３aを円錐形で形成した傾斜板２３cをヒートシンク取り付け凹部１８ に形成した場合の側面図、(ｄ)は上面図である。また、ヒートシンク取り付け凹部１８の側面部には開口部２２iが設けられている。
【００７５】
図８に示したカバー１３iは図１に示したカバー１３aで示したヒートシンク取り付け凹部１８を楕円形で形成したものであり、放熱の効果はカバー１３aと同じように得ることができる。また、図８(ｃ)はヒートシンク取り付け凹部１８ の周囲に円錐形で形成した傾斜板２３cを設けたもので、上記傾斜板２３cにより空気がスムーズにヒートシンク６bに流れる効果を得ることができ、放熱効果を高めることができる。
【００７６】
なお、上述したヒートシンク取り付け凹部１８は取り付け凹部１８が円形や楕円形状の場合には上部から圧力をかけるプレス加工によりヒートシンク取り付け凹部を形成することにより容易に製作することができる。また、取り付け凹部１８が四角形状の場合には、カバー前面を切断して片側、または、両側から折り曲げることによりヒートシンク取り付け凹部１８を製作することができる。
【００７７】
さらに、上記の取り付け凹部１８を形成した後に格子状の開口部２１を作成し、折り曲げれば、カバー１３を簡単に製作することができるし、カバー１３を樹脂等で形成する場合には、成型用の型を作ることにより任意の形状を簡単に作成することが可能となる。
【００７８】
なお、上記のカバー１３の形状は、ディスクチェンジャー装置１内のファン１１の配置及び空気の流れに応じて最適なものが選択されて適用されるため、上記の実施例に限るものではない。
【００７９】
以上述べたように、カバー１３を設けてヒートシンク６bに効果的に空気を送るような形状にすることにより、回路の冷却効率を高めて装置の誤動作を低減し、回路素子の寿命を延ばすことにより装置の故障を未然に防ぐことが可能となり、ディスクチェンジャー装置１の信頼性を向上させることが可能となる。
【００８０】
以上のごとく本発明によれば、制御回路とファン等の冷却装置を有する筐体との間に、上記ヒートシンクを取り付ける取り付け凹部を有する上記カバーを設置し、上記ヒートシンクを上記取り付け凹部の上記カバーと上記筐体との間にファン方向に突出させて設置することとする。上記の構造とすることにより、カバーが設置された場合でも、ヒートシンク周囲の空気の流れを阻害することが無い。さらに、上記カバーに、より効率的にヒートシンクに冷却用の空気を送る役割を持たせることにより、カバーによる装置及び人への安全性を確保すると共に冷却性能を維持する効果を持つことが可能となり、高い信頼性を備えたディスクチェンジャー装置を提供できる。
【符号の説明】
【００８１】
１…ディスクチェンジャー装置、２…筐体、３…収納部、４…ドライブ部、５…ディスク搬送部、６…制御回路部、６a…制御回路、６b…ヒートシンク、９…前面パネル、１０…後方パネル、１１…ファン、１２…ドライブブロック、１３…カバー、１４…基板、１５…回路部品、１６…高熱伝導部材、１７…ネジ、１８…ヒートシンク取り付け凹部、２０、２１、２２…開口部、２３…傾斜板、５０…従来のカバー、１００…ディスク。
【図１】
2013114718.tif 000003
【図２】
2013114718.tif 000004
【図３】
2013114718.tif 000005
【図４】
2013114718.tif 000006
【図５】
2013114718.tif 000007
【図６】
2013114718.tif 000008
【図７】
2013114718.tif 000009
【図８】
2013114718.tif 000010
【図９】
2013114718.tif 000011
【図１０】
2013114718.tif 000012
【図１１】
2013114718.tif 000013
【図１２】
2013114718.tif 000014